(57)【要約】【課題】複数のスリッタヘッドの左右方向の位置決めを、作成すべきカードの大きさに合わせて、手動にて容易かつ迅速に精度良く行うことが可能なカードカッタ装置を提供する。【解決手段】用紙90を搬送方向Ｙに直交する左右方向Ｘに切断する横カッタ部と、用紙90を搬送方向Ｙに切断する複数のスリッタヘッド１，１と、を備え、用紙90を複数のカードＣに分割裁断するカードカッタ装置であって、複数のスリッタヘッド１，１は、左右方向Ｘに固設されたガイド杆に沿って手動にて左右方向位置調整自在に一列状に設けられ、用紙90を所定のカード裁断左右寸法Ｅをもって裁断するように左右方向Ｘの所定の位置に複数のスリッタヘッド１を位置決めするゲージプレート３を備え、さらに、ゲージプレート３は、カード裁断左右寸法Ｅが異なる複数種類から択一的に選択して用いる。【選択図】図６
2015193067.tif 000002
【特許請求の範囲】
【請求項１】
用紙（90）を搬送方向（Ｙ）に直交する左右方向（Ｘ）に切断する横カッタ部（２）と、上記用紙（90）を上記搬送方向（Ｙ）に切断する複数のスリッタヘッド（１）（１）と、を備え、上記用紙（90）を複数のカード（Ｃ）に分割裁断するカードカッタ装置に於て、
複数の上記スリッタヘッド（１）（１）は、上記左右方向（Ｘ）に固設されたガイド杆（82）に沿って手動にて左右方向位置調整自在に一列状に設けられ、
上記用紙（90）を所定のカード裁断左右寸法（Ｅ）をもって裁断するように上記左右方向（Ｘ）の所定の位置に上記複数のスリッタヘッド（１）を位置決めするゲージプレート（３）を備え、
さらに、上記ゲージプレート（３）は、上記カード裁断左右寸法（Ｅ）が異なる複数種類から択一的に選択して用いられることを特徴とするカードカッタ装置。
【請求項２】
上記スリッタヘッド（１）には上方突出状のピン部（11）が設けられ、かつ、上記ゲージプレート（３）には、上記ピン部（11）が差し込まれる位置決め用の切欠部（31）が、所定間隔寸法をもって複数形成され、
複数種類から択一的に選択された１枚の上記ゲージプレート（３）をもって、複数のスリッタヘッド（１）（１）を位置決めするように構成した請求項１記載のカードカッタ装置。
【請求項３】
上記スリッタヘッド（１）を上記ガイド杆（82）に沿って、上記用紙（90）が搬送される搬送路の左右外方の退避空間（81）（81）に移動させて、不使用の上記スリッタヘッド（１）を退避可能に構成した請求項１又は２記載のカードカッタ装置。
【請求項４】
上記スリッタヘッド（１）は、上記用紙（90）の不要部を所定の裁断横幅寸法（Ｗ）をもって縦帯状に切り落とすカッタ部（12）と、上下揺動自在に設けられ下揺動状態で上記カッタ部（12）にて形成された縦帯状不要部（92）よりも左右外方側の側縁不要部（91）を下方へ誘導するガイド部材（13）と、上下スライド自在に設けられ下位置で該ガイド部材（13）を上記下揺動状態にするガイド操作部材（14）と、該ガイド操作部材（14）を上位置に常時弾発付勢して上記ガイド部材（13）を上揺動状態の非ガイド姿勢に保持するための弾発付勢部材（15）と、を備えた請求項１，２又は３記載のカードカッタ装置。
【請求項５】
上記ゲージプレート（３）は、上記ガイド操作部材（14）を上記弾発付勢部材（15）の弾発力に抗して下位置に押圧して上記ガイド部材（13）を下揺動状態にするための押圧部（38）を有する請求項４記載のカードカッタ装置。
【発明の詳細な説明】
【技術分野】
【０００１】
本発明は、カードカッタ装置に関する。
【背景技術】
【０００２】
従来のカードカッタ装置は、用紙の左右中間部を切断する複数の中間用スリッタヘッドと、用紙の左右側縁部を切断する複数の側縁用スリッタヘッドと、を備え、複数の中間用スリッタヘッドと複数の側縁用スリッタヘッドとを用紙搬送方向の異なる位置に配設し、さらに、左右方向の位置決めを電動にて行っていた（例えば、特許文献１参照）。
【先行技術文献】
【特許文献】
【０００３】
【特許文献１】特開２０１３−１４４３２２号公報
【発明の概要】
【発明が解決しようとする課題】
【０００４】
しかし、電動によってスリッタヘッドの位置決めを行うと、駆動モータや制御機器、センサや、スクリューシャフト等が必要なため、全体が重く大型になるといった問題や、製造に手間と時間がかかると共に高価な機器や部品が必要となり容易かつ安価に製造できないといった問題があった。
【０００５】
そこで、本発明は、複数のスリッタヘッドの左右方向の位置決めを、作成すべきカードの大きさに合わせて、手動にて容易かつ迅速に精度良く行うことが可能なカードカッタ装置の提供を目的とする。
【課題を解決するための手段】
【０００６】
上記目的を達成するために、本発明のカードカッタ装置は、用紙を搬送方向に直交する左右方向に切断する横カッタ部と、上記用紙を上記搬送方向に切断する複数のスリッタヘッドと、を備え、上記用紙を複数のカードに分割裁断するカードカッタ装置に於て、複数の上記スリッタヘッドは、上記左右方向に固設されたガイド杆に沿って手動にて左右方向位置調整自在に一列状に設けられ、上記用紙を所定のカード裁断左右寸法をもって裁断するように上記左右方向の所定の位置に上記複数のスリッタヘッドを位置決めするゲージプレートを備え、さらに、上記ゲージプレートは、上記カード裁断左右寸法が異なる複数種類から択一的に選択して用いられるものである。
また、上記スリッタヘッドには上方突出状のピン部が設けられ、かつ、上記ゲージプレートには、上記ピン部が差し込まれる位置決め用の切欠部が、所定間隔寸法をもって複数形成され、複数種類から択一的に選択された１枚の上記ゲージプレートをもって、複数のスリッタヘッドを位置決めするように構成したものである。
【０００７】
また、上記スリッタヘッドを上記ガイド杆に沿って、上記用紙が搬送される搬送路の左右外方の退避空間に移動させて、不使用の上記スリッタヘッドを退避可能に構成したものである。
また、上記スリッタヘッドは、上記用紙の不要部を所定の裁断横幅寸法をもって縦帯状に切り落とすカッタ部と、上下揺動自在に設けられ下揺動状態で上記カッタ部にて形成された縦帯状不要部よりも左右外方側の側縁不要部を下方へ誘導するガイド部材と、上下スライド自在に設けられ下位置で該ガイド部材を上記下揺動状態にするガイド操作部材と、該ガイド操作部材を上位置に常時弾発付勢して上記ガイド部材を上揺動状態の非ガイド姿勢に保持するための弾発付勢部材と、を備えたものである。
また、上記ゲージプレートは、上記ガイド操作部材を上記弾発付勢部材の弾発力に抗して下位置に押圧して上記ガイド部材を下揺動状態にするための押圧部を有するものである。
【発明の効果】
【０００８】
本発明によれば、手動にてスリッタヘッドの左右方向の位置決めを行うため、全体を軽量小型にできると共に容易かつ安価に製造できる。スリッタヘッドを２列に配設した場合に比べて搬送方向に沿った寸法を短くできる。スリッタヘッドを、作成すべきカードの左右寸法に合わせて容易かつ迅速に位置決めできる。スリッタヘッドが誤った位置に配設されるのを防止すると共に精度良く配設できる。熟練した位置決めの技量が必要なく作成したカードの左右寸法が安定した品質の良いカードを得ることができる。
【図面の簡単な説明】
【０００９】
【図１】本発明のカードカッタ装置の実施の一形態を示す斜視図である。
【図２】要部平面図である。
【図３】複数のスリッタヘッドのカット配置の一例を示す簡略平面図である。
【図４】複数のスリッタヘッドのカット配置の他例を示す簡略平面図である。
【図５】複数のスリッタヘッドのカット配置の別例を示す簡略平面図である。
【図６】ゲージプレートによる位置決め状態の一例を示す要部斜視図である。
【図７】ゲージプレートによる位置決め状態の他例を示す要部斜視図である。
【図８】第１ゲージプレートを示す平面図である。
【図９】第２ゲージプレートを示す平面図である。
【図１０】スリッタヘッドの一例を示す斜視図である。
【図１１】カッタ部の一例を示す要部拡大正面図である。
【図１２】ガイド部材が非ガイド姿勢であるスリッタヘッドを示す斜視図である。
【図１３】スリッタヘッドの断面側面図である。
【図１４】ガイド部材がガイド姿勢であるスリッタヘッドを示す断面側面図である。
【図１５】不具合を説明するための斜視図である。
【発明を実施するための形態】
【００１０】
以下、図示の実施形態に基づき本発明を詳説する。
本発明に係るカードカッタ装置は、図１に示すように、１枚の用紙90から同じ寸法をもったカードＣが複数枚得られるように分割裁断するものであって、二点鎖線で示す用紙90が積層状に載置される給紙台89と、用紙90の下面に接触して用紙90を１枚ずつ搬送する複数の搬送ローラ85と、用紙90を搬送方向（縦方向）Ｙに直交する左右方向（横方向）Ｘに切断する横カッタ部２と、用紙90を搬送方向Ｙに切断する複数のスリッタヘッド１，１と、用紙90が分割裁断されて形成された二点鎖線で示すカードＣが貯えられる排紙台88と、搬送ローラ85とスリッタヘッド１及び横カッタ部２を内蔵する箱型の本体ケーシング８と、を備えている。なお、本発明において、搬送方向上流側又は給紙側を後方側と呼び、搬送方向下流側又は排紙側を前方側と呼ぶ。
【００１１】
本体ケーシング８は、前壁87に排紙台88を付設すると共に排紙口86を貫設し、後壁に給紙台89を付設すると共に給紙口を貫設している。搬送ローラ85の下方位置に、切り落とされた用紙不要部（切屑）を収容する屑箱84を前方側へ引き出し可能に内蔵している。
【００１２】
図２に示すように、スリッタヘッド１は、４つであって、本体ケーシング８の内部の前方端部に左右方向Ｘに沿って固設された丸棒状のガイド杆82に、ヘッドケーシング10が外嵌状に夫々取着され左右方向Ｘの一列状に配設している。各スリッタヘッド１にノブ付きの操作杆19を螺着している。なお、スリッタヘッド１をヘッド１と呼ぶ場合もある。
【００１３】
複数のヘッド１，１は、ガイド杆82の左右両端部寄りに配設される両端へッド１Ａ，１Ｄと、両端ヘッド１Ａ，１Ｄに挟まれる複数の中間ヘッド１Ｂ，１Ｃを備えている。
両端ヘッド１Ａ，１Ｄの内、左右一方側に配設されるものを一端ヘッド１Ａと呼び、左右他方側に配設されるものを他端ヘッド１Ｄと、呼ぶ場合がある。
複数の中間ヘッド１Ｂ，１Ｃの内、一端ヘッド１Ａに隣設されるものを第１中間ヘッド１Ｂと呼び、他端ヘッド１Ｄに隣設されるものを第２中間ヘッド１Ｃと呼ぶ場合がある。
【００１４】
図１に示すように、本体ケーシング８の前壁87に貫設した横長孔87ａを介して、前方に突出した操作杆19を把持して左右方向Ｘに移動させることで、複数のヘッド１，１を、ガイド杆82に沿って、手動で、個別に（１つずつ）左右方向位置調整自在に設けている。
そして、操作杆19を手動にて軸心廻りに回転させることで、操作杆19が螺進してヘッド１内でガイド杆82に直交状に当接して固定するように設けている。操作杆19を螺退させれば、固定が解除されヘッド１が左右方向スライド自在となる。つまり、ヘッド１を手動でスライド固定自在に設けている。
【００１５】
さらに、図２に示すように、本体ケーシング８の内部において、搬送されてくる用紙90の左右外方側となる位置（領域）かつ、ガイド杆82の両端部近傍に、左右一対の退避空間81，81を、設けている。両端ヘッド１Ａ，１Ｄを夫々、ガイド杆82に沿って左右外方へスライド移動させることで、退避空間81，81に配設可能である。
【００１６】
図３に示すように、横カッタ部２で切断した用紙90から、カードＣを３枚作成する場合、つまり、４台のヘッド１を使用する場合には、左右一対の退避空間81，81にヘッド１は配設しない。
そして、図４に示すように、横カッタ部２で切断した用紙90から、カードＣを２枚作成する場合、つまり、３台のヘッド１，１を使用する場合に、不使用となる１台のヘッド１、具体的には、一端ヘッド１Ａを、左右一方の退避空間81に配設し、用紙90の搬送路の外に退避させるように構成している。なお、図示省略するが、他端ヘッド１Ｄを左右他方の退避空間81に退避させても良い。つまり、使用しないヘッド１を、用紙90が搬送されてくる搬送路の左右外方の退避空間81，81に移動させて、退避させるように構成している。
【００１７】
また、図５に示すように、横カッタ部２で切断した用紙90から、カードＣを１枚作成する場合、つまり、２台のヘッド１を使用する場合は、不使用の２台のヘッド１、具体的には、両端ヘッド１Ａ，１Ｄを、夫々、退避空間81，81に退避させるように構成している。
【００１８】
さらに、図６及び図７に示すように、横カッタ部２で切断した用紙90を、所定のカード裁断左右寸法Ｅをもって裁断するように、用紙90の搬送路に配設されている（使用する）複数のヘッド１，１を、左右方向Ｘの所定位置に位置決めするゲージプレート３を、備えている。なお、ゲージプレート３をゲージ３と呼ぶ場合もある。
【００１９】
図６乃至図９に示すように、ゲージ３は、横長の帯板状であって、ヘッドケーシング10の上面から上方突出状に設けたピン部11が差し込まれる位置決め用の切欠部31が所定の間隔寸法をもって複数形成されている。
所定の間隔寸法とは、各切欠部31にピン部11が差し込まれ左右方向Ｘに隣り合うヘッド１，１同士によって、所定のカード裁断左右寸法ＥをもったカードＣが作成されるように位置決めする寸法である。複数の切欠部31，31が等間隔で配設される場合と不等間隔で配設される場合のいずれも含む。
【００２０】
ゲージ３は、カード裁断左右寸法Ｅが異なる、つまり、位置決め寸法が異なる複数種類設けている。例えば、図６及び図８に示すように、４台のヘッド１，１が用紙90を第１カード裁断左右寸法Ｅａをもって裁断するように位置決めする第１ゲージ３Ａと、図７及び図９に示すように、３台のヘッド１，１が用紙90を第２カード裁断左右寸法Ｅｂをもって裁断するように位置決めする第２ゲージ３Ｂと、を備えている。
つまり、カード裁断左右寸法Ｅが異なる複数種類のゲージ３Ａ，３Ｂを備え、複数種類のゲージ３Ａ，３Ｂから択一的に選択して用いるように構成している。
【００２１】
さらに、ゲージ３は、左右方向Ｘに沿った両側縁３ａ，３ｂの内、一側縁３ａから切り欠いた複数の切欠部31から成る第１切欠列（群）と、他側縁３ｂから切り欠いた複数の切欠部31から成る第２切欠列（群）と、を有している。第１切欠列と第２切欠列とは、上述の所定の間隔寸法（左右方向Ｘの配置又は数）を相違させている。
【００２２】
例えば、図４及び図７に示すように、横カッタ部２で切断した用紙90から３台のヘッド１，１にて２枚のカードＣを作成するように、第２カード裁断左右寸法Ｅｂをもって裁断するように位置決めする場合は、第２ゲージ３Ｂの一側縁３ａ側の第１切欠列で位置決めするように構成している。
そして、図５に示すように、横カッタ部２で切断した用紙90から２台のヘッド１にて１枚のカードＣを作成するように、第３カード裁断左右寸法Ｅｃをもって裁断するように位置決めする場合は、ゲージ装着状態は図示省略するが、第２ゲージ３Ｂの他側縁３ｂ側の第２切欠列で位置決めするように構成している。
【００２３】
また、図３及び図６に示すように、横カッタ部２で切断した用紙90から４台のスリッタヘッド１，１にて３枚のカードＣを作成するように、第１カード裁断左右寸法Ｅａをもって裁断するように位置決めする場合は、第１ゲージ３Ａの一側縁３ａ側の第１切欠列で位置決めするように構成している。
そして、図示省略するが、４台スリッタヘッド１，１にて第１カード裁断左右寸法Ｅａよりも小さい寸法をもって裁断するように位置決めする場合は、第１ゲージ３Ａの他側縁３ｂ側の第２切欠列で位置決めするように構成している。
【００２４】
つまり、１枚のゲージ３の一側縁３ａ側と他側縁３ｂ側のどちらをスリッタヘッド１に対応させるか選択することで、異なるカード裁断左右寸法Ｅをもって用紙90を裁断するように位置決め可能に構成している。言い換えると、１枚のゲージ３の第１切欠列と第２切欠列の一方を選択して用いられる。さらに言い換えると、１枚のゲージ３の前後の向き又は表裏を選択して用いられる。
【００２５】
また、ゲージ３は、左右一方端部に、本体ケーシング８に固設したゲージ位置決めピンが差し込まれる基準孔32を貫設している。また、四角部近傍に、本体ケーシング８に取着するための取着用横長孔33を有している。
【００２６】
次に、中間ヘッド１Ｂ，１Ｃは、図10に示す第１中間ヘッド１Ｂのように、ヘッドケーシング10の上部10ａにガイド杆82が挿通され、下部10ｂに六角棒状の駆動軸83が挿通されている。
駆動軸83は、搬送される用紙90の下方位置で、本体ケーシング８に左右方向Ｘに沿って架設され電動にて回転駆動制御される。ヘッドケーシシング10は、ガイド杆82及び駆動軸83に沿って左右方向Ｘにスライド自在に設けている。
【００２７】
図10及び図11に示すように、ヘッドケーシング10の上部10ａに、短軸16と、短軸16に空転自在に外嵌状に取着する左右一対の上刃21，21と、短軸16に外嵌状に取着して左右一対の上刃21，21の左右両側に配設される左右一対の従動ローラ22，22と、を有している。
ヘッドケーシング10の下部10ｂに、駆動軸83に左右方向Ｘにスライド自在に外嵌状に取着して駆動軸83の軸心廻りに回転駆動する左右一対の下刃23，23と、駆動軸83に左右方向Ｘにスライド自在に外嵌状に取着して左右一対の下刃23，23の左右両側に配設されると共に上記従動ローラ22に回転力を付与する左右一対の駆動ローラ24，24と、を備えている。
【００２８】
上刃21及び下刃23は、エッジ刃に形成された正面視台形状（薄い円錐台形状）の片刃型である。
左右一対の上刃21，21を、短軸16の中間外鍔部16ａに左右両側から当接させ、所定の裁断横幅寸法Ｗをもって用紙90を縦帯状に切断可能に設けている。
左右一対の下刃23，23は、左右一対の上刃21，21の左右外方側に配設され、上刃21の周側縁部に下刃23の周側縁部が当接するように、コイルバネから成る左右一対の刃押圧用弾発付勢部材25，25で押圧されている。この押圧当接部位の摩擦力によって、上刃21が連れ回りするよう構成している。
【００２９】
中間ヘッド１Ｂ，１Ｃは、用紙90が駆動ローラ24と従動ローラ22の間を通過し、左右一対の上刃21，21と左右一対の下刃23，23から成るカッタ部12によって、用紙90の不要部を所定の裁断横幅寸法Ｗをもって縦帯状に切り落とす（図６参照）。言い換えると、中間ヘッド１Ｂ，１Ｃは、二筋の切断縁を形成してスリット状に切断するように構成している。なお、中間ヘッド１Ｂ，１Ｃのカッタ部12にて切断されたものを縦帯状不要部92と呼ぶ。
【００３０】
中間ヘッド１Ｂ，１Ｃは、図12及び図13に示す第１中間ヘッド１Ｂのように、ヘッドケーシング10が、上部10ａと下部10ｂを連結する連結部10ｃを有し、全体ブロック状に形成している。連結部10ｃは、左右方向Ｘの位置が下刃23と下刃23の間であり、搬送方向Ｙの位置はカッタ部12による用紙切断部よりも前方である。
さらに、連結部10ｃの後面側に前方下傾状のガイド面10ｄを設けている。
つまり、連結部10ｃに向かって搬送される用紙90は、カッタ部12によって縦帯状不要部92となり、ガイド面10ｄに沿って下方へ揺動されて切り落とされる。
【００３１】
ここで、両端ヘッド１Ａ，１Ｄは、図示省略するが、1枚の上刃と1枚の下刃を有し、用紙90を一筋の切断縁をもって搬送方向Ｙに沿った用紙90の側縁部99を一直線状に切断する。また、切断によって形成された左右外方側の側方不要部を下方へ誘導する前方下傾状の誘導勾配面を有している（図６参照）。中間ヘッド１Ｂ，１Ｃと同様にヘッドケーシング10にガイド杆82及び駆動軸83が挿通され左右方向Ｘにスライド移動・固定自在である。
【００３２】
さらに、中間ヘッド１Ｂ，１Ｃは、図７に示す第１中間ヘッド１Ｂのように、用紙90の側縁部99に対応する位置に配設され、裁断横幅寸法Ｗよりも幅広の左右不要寸法Ｚをもった側方不要部を切り落とす場合に、縦帯状不要部92よりも左右外方の側縁不要部91を下方へ垂れ下がるように誘導するためのガイド部材13を備えている。
【００３３】
図12乃至図14に示すように、ガイド部材13は、上刃21と下刃23による用紙切断部よりも前方かつ、ガイド面10ｄよりも左右外方側に、配設している。第１中間ヘッド１Ｂは、ガイド面10ｄよりも左右一方側にガイド部材13を設けている。第２中間ヘッド１Ｃは、ガイド面10ｄよりも左右他方側にガイド部材13を設けている。
そして、ガイド部材13は、ヘッドケーシング10に枢支される左右一対の水平状の軸部13ｃと、軸部13ｃが後端部に設けられた誘導板部13ａと、誘導板部13ａの前方端部から折曲げ状に連設された連結片部13ｂと、を有する側面視Ｌ字状に設けている。
なお、図13と図14において、従動ローラ22と駆動ローラ24と刃押圧用弾発付勢部材25を図示省略している。
【００３４】
ガイド部材13は、誘導板部13ａが水平状の上揺動状態（図13参照）で、用紙90よりも上方へ逃げた非ガイド姿勢となり、揺動板部13ａが前方下傾状の下揺動状態（図14参照）で搬送されてくる用紙90の側縁不要部91を下方へ誘導するガイド姿勢となる。
【００３５】
さらに、ガイド部材13の連結片部13ｂに下端部14ｂが連結すると共にヘッドケーシング10に上下方向スライド自在に設けたガイド操作部材14を備えている。
ガイド操作部材14は、ヘッドケーシング10に内装されて保持されたコイルバネから成るガイド用の弾発付勢部材15によって上方へ常時弾発付勢され、ガイド部材13の誘導板部13ａの前端側を、上方へ引き上げた上位置で保持されている。
ガイド操作部材14の上端部14ａは、ヘッドケーシング10の上面から上方突出状に配設している。
【００３６】
上位置のガイド操作部材14によって、ガイド部材13を上揺動状態の非ガイド姿勢に保持している。ガイド操作部材14の上端部14ａを、弾発付勢部材15の弾発力に抗して押圧して下位置にすると、揺動板部13ａが下方へ揺動して、ガイド部材13が非ガイド姿勢からガイド姿勢に切り換わるように構成している。
【００３７】
そして、図７に示すように、第２ゲージ３Ｂには、一端ヘッド１Ａが用紙90の搬送路から左右一側に退避し、第１中間ヘッド１Ｂが用紙90の左右一方側縁部99に対応する位置に配設され、第２中間ヘッド１Ｃが用紙90の中間部に対応する位置に配設され、他端ヘッド１Ｄが用紙90の左右他方側縁部99に対応する位置に配設して裁断を行う場合に、第１中間ヘッド１Ｂのガイド操作部材14の上端部14ａを押圧する押圧部38（図７において二点鎖線で囲んだ範囲）と、第２中間ヘッド１Ｃのガイド操作部材14の上端部14ａが挿通する逃がし孔部（逃がし空間部）39と、を有している。第１切欠列に対応する押圧部38と逃がし孔部39を有している。
【００３８】
つまり、用紙90の左右一方側縁部99に対応する位置に配設された中間ヘッド１（図７において第１中間ヘッド１Ｂ）は、上述のガイド面10ｄによって縦帯状不要部92を下方へ誘導し、ガイド部材13によって側縁不要部91を下方へ誘導して、屑箱84内に落下させる。
また、用紙90の中間部に対応する位置に配設された中間ヘッド１（図７において第２中間ヘッド１Ｃ）は、所定の裁断横幅寸法Ｗをもって用紙90をスリット状に切断し、上述のガイド面10ｄによって縦帯状不要部92を下方へ誘導する。また、ガイド部材13が非揺動姿勢となり、カードＣとなる部位を下方へ誘導しない。
【００３９】
例えば、図15に示すように、ガイド部材13を設けていない比較例の中間ヘッド１Ｋを、用紙90の左右一方の側縁部99に対応する位置に配設して、裁断を行うと、縦帯状不要部92は、ガイド面10ｄによって下方へ案内されるが、縦帯状不要部92よりも左右外方側の側縁不要部91は、用紙90のコシ（剛性）によって自重で垂れ下がることが無く、屑箱84内に落下せず、作成されるカードＣと共に排紙口86から排出されるといった不具合が発生する問題がある。つまり、ガイド部材13によって、この問題を解決している。
【００４０】
また、図９に示す第２ゲージ３Ｂには、裁断横幅寸法Ｗよりも幅広の左右不要寸法Ｚを夫々もった両側方不要部を、２台の中間ヘッド１Ｂ，１Ｃで夫々切り落とす場合（図５参照）に、つまり、第２ゲージ３Ｂの他側縁３ｂ側を用いて位置決めする場合に、第２切欠列に対応するように、第１中間ヘッド１Ｂのガイド操作部材14を押圧する押圧部38と、第２中間ヘッド１Ｃのガイド操作部材14を押圧する押圧部38と、を有している。
【００４１】
また、図６と図８に示す第１ゲージ３Ａには、両端ヘッド１Ａ，１Ｂを、用紙90の両側縁部99，99に夫々対応させ、中間ヘッド１Ｂ，１Ｃの両方で、用紙90の中間部を切り落とす場合に、つまり、第１ゲージ３Ａの一側縁３ａ側を用いて位置決めする場合に、第１切欠列に対応するように、用紙90の中間位置に配設される中間ヘッド１Ｂ，１Ｃのガイド操作部材14の上端部14ａが夫々挿通する逃がし孔部39，39を有している。
また、第１ゲージ３Ａの他側縁３ｂ側を用いて位置決めする場合に、第２切欠列に対応するように、用紙90の中間位置に配設される中間ヘッド１Ｂ，１Ｃのガイド操作部材14の上端部14ａが夫々挿通する逃がし孔部39，39を有している。
【００４２】
また、本体ケーシング８内に、横カッタ部２を上流側に配設し、ヘッド１を下流側に配設することで、使用者が本体ケーシング８の前壁87近傍に立ってヘッド１の操作を容易に行うことができる。また、横カッタ部２よりも先にヘッド１で用紙90を切断すると、切断された用紙90が、搬送ローラ85と搬送ローラ85の間で撓んで全体が波状に搬送され、搬送遅れや位置ズレするといった不具合の虞れがあるが、先に横カッタ部２で切断するため搬送が確実かつスムーズに行われ、精度良くカードＣを作成できる。
【００４３】
なお、本発明は、設計変更可能であって、ヘッド１を５つ以上設けても良い。つまり、中間ヘッド１を３つ以上設けても良い。また、図例では、左右両側夫々の退避空間81は、１台のヘッド１を退避可能に設けているが、２台のヘッド１，１、つまり、中間ヘッド１も退避可能に設けても良い。なお、ヘッド１よりも下流側に横カッタ部２を配設しても良い。また、横カッタ部２は、帯板状の上カッタ刃と帯板状の下カッタ刃とを、鋏のように枢着して上下方向に揺動させることで用紙90を切断するものや、上カッタ刃と下カッタ刃の刃先が水平状のまま接近・離間するギロチン型のもの等自由である。また、横カッタ部２は、用紙90を前後幅寸法をもった横帯状に切断するものや横一直線状に切断するもの等自由である。図例に限らず、ゲージプレート３を３種類以上設けても良い。また、ゲージプレート３に押圧部38と逃がし孔部39を設けず、押圧部38と逃がし孔部39を有する操作用プレートを設けても良い。また、作成されるカードＣの大きさは、ポストカード、写真、卓上カレンダーシート、名刺等の大小のサイズがある。用紙90の大きさは自由である。なお、本発明に於て、用紙90の厚み方向を上下方向と呼ぶ。なお、図３乃至図７と図15は、ガイド杆82及び駆動軸83は図示省略している。
【００４４】
以上のように、本発明のカードカッタ装置は、用紙90を搬送方向Ｙに直交する左右方向Ｘに切断する横カッタ部２と、用紙90を搬送方向Ｙに切断する複数のスリッタヘッド１，１と、を備え、用紙90を複数のカードＣに分割裁断するカードカッタ装置に於て、複数のスリッタヘッド１，１は、左右方向Ｘに固設されたガイド杆82に沿って手動にて左右方向位置調整自在に一列状に設けられ、用紙90を所定のカード裁断左右寸法Ｅをもって裁断するように左右方向Ｘの所定の位置に複数のスリッタヘッド１を位置決めするゲージプレート３を備え、さらに、ゲージプレート３は、カード裁断左右寸法Ｅが異なる複数種類から択一的に選択して用いられるので、全体を軽量小型にできると共に容易かつ安価に製造できる。スリッタヘッド１を２列に配設した場合に比べて前後寸法を短くできる。スリッタヘッド１を、作成すべきカードＣの大きさ（カード裁断左右寸法Ｅ）に合わせて容易かつ迅速に位置決めできる。スリッタヘッド１が誤った位置に配設されるのを防止すると共に精度良く配設できる。熟練した位置決めの技量が必要なく作成したカードの左右寸法が安定した品質の良いカードを得ることができる。目視に比べて高精度に位置決めを行うことができる。
【００４５】
また、スリッタヘッド１には上方突出状のピン部11が設けられ、かつ、ゲージプレート３には、ピン部11が差し込まれる位置決め用の切欠部31が、所定間隔寸法をもって複数形成され、複数種類から択一的に選択された１枚のゲージプレート３をもって、複数のスリッタヘッド１，１を位置決めするように構成したので、複数のスリッタヘッド１，１を、容易かつ迅速に、位置決めできる。容易にゲージプレート３を前後方向Ｙに接近させて各ピン部11，11に容易に合わせることができる。
【００４６】
また、スリッタヘッド１をガイド杆82に沿って、用紙90が搬送される搬送路の左右外方の退避空間81，81に移動させて、不使用のスリッタヘッド１を退避可能に構成したので、使用しないスリッタヘッド１をガイド杆82から取り外す必要がなく、容易かつ迅速に、作成すべきカードＣの大きさに合わせてスリッタヘッド１の位置調整を行うことができる。例えば、所定のカード裁断左右寸法Ｅをもって所定位置に固定された複数のヘッド１を備えたヘッドユニットを製作し、カード裁断左右寸法Ｅの異なる複数種類のヘッドユニットを設けて、作成すべきカードＣの大きさに合わせて複数種類のヘッドユニットから選択して使用する場合に比べて、カード作成準備（段取り）が容易かつ迅速に行えると共に、ヘッド１を製造する数量を少なくでき容易かつ安価に製造できる。
【００４７】
また、スリッタヘッド１は、用紙90の不要部を所定の裁断横幅寸法Ｗをもって縦帯状に切り落とすカッタ部12と、上下揺動自在に設けられ下揺動状態でカッタ部12にて形成された縦帯状不要部92よりも左右外方側の側縁不要部91を下方へ誘導するガイド部材13と、上下スライド自在に設けられ下位置でガイド部材13を下揺動状態にするガイド操作部材14と、ガイド操作部材14を上位置に常時弾発付勢してガイド部材13を上揺動状態の非ガイド姿勢に保持するための弾発付勢部材15と、を備えたので、裁断横幅寸法Ｗよりも広い左右不要寸法Ｚをもった側方不要部を除去する際に、確実に縦帯状不要部92よりも左右外方側の側縁不要部91を、下方へ誘導させて、排紙口86から排出させず、下方の屑箱84内へ落下させることができる。用紙90の中間部を切断する際は、ガイド部材13がカードＣとなる部位の搬送の邪魔にならずスムーズに裁断を行うことができる。
【００４８】
また、ゲージプレート３は、ガイド操作部材14を弾発付勢部材15の弾発力に抗して下位置に押圧してガイド部材13を下揺動状態にするための押圧部38を有するので、使用者がガイド操作部材14の操作を意識して行う必要が無く、ゲージプレート３をセットするだけで、容易かつ迅速に、ガイド部材13を、ガイド姿勢と非ガイド姿勢に切り換えることができる。確実に側方不要部を下方へ誘導し、作成したカードＣと切断屑とを分別できる。
【符号の説明】
【００４９】
１  スリッタヘッド
２  横カッタ部
３  ゲージプレート
11  ピン部
12  カッタ部
13  ガイド部材
14  ガイド操作部材
15  弾発付勢部材
31  切欠部
38  押圧部
81  退避空間部
82  ガイド杆
90  用紙
91  側縁不要部
92  縦帯状不要部
Ｃ  カード
Ｅ  カード裁断左右寸法
Ｗ  裁断横幅寸法
Ｘ  左右方向
Ｙ  搬送方向
【図１】
2015193067.tif 000003
【図２】
2015193067.tif 000004
【図３】
2015193067.tif 000005
【図４】
2015193067.tif 000006
【図５】
2015193067.tif 000007
【図６】
2015193067.tif 000008
【図７】
2015193067.tif 000009
【図８】
2015193067.tif 000010
【図９】
2015193067.tif 000011
【図１０】
2015193067.tif 000012
【図１１】
2015193067.tif 000013
【図１２】
2015193067.tif 000014
【図１３】
2015193067.tif 000015
【図１４】
2015193067.tif 000016
【図１５】
2015193067.tif 000017